【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
物品にラベルを貼り付ける方法であって、
少なくとも１つの複合曲面を含む面を有する物品を準備する段階と、
（ｉ）内面と外面とを有する熱収縮性フィルム、及び、（ｉｉ）前記熱収縮性フィルムの前記内面上の感圧接着の層を含み、かつ、第１の縁部と接触領域とを有するラベルを準備する段階と、
前記ラベルの前記接触領域内の前記接着層を前記物品と接触させる段階と、
前記ラベルの前記第１の縁部が前記物品に接着し、かつ前記ラベルが収縮して、前記物品を完全に包装することなしに前記物品の前記複合曲面に適合するように、前記接触領域から前記第１の縁部への方向に前記ラベルに熱と圧力を同時に印加し、前記熱及び圧力が、加熱適合性膜によって印加される段階と、
を含むことを特徴とする方法。
【請求項２】
前記熱及び圧力が、加熱空気袋を含む移動ビームによって印加されることを特徴とする請求項１に記載の方法。
【請求項３】
前記熱及び圧力が、加熱空洞を含む移動ビームによって印加され、
前記空洞の形状が、前記ラベルが貼り付けられる前記物品の形状に対応する、
ことを特徴とする請求項１又は請求項２に記載の方法。
【請求項４】
前記熱及び圧力が、少なくとも２つのフレーム部材の間に懸架された可撓性加熱膜を含む移動ビームによって印加されることを特徴とする請求項１又は請求項２に記載の方法。
【請求項５】
前記熱及び圧力が、矩形フレームに装着された可撓性加熱膜を含む移動ビームによって印加されることを特徴とする請求項１、請求項２、又は請求項４に記載の方法。
【請求項６】
前記熱及び圧力が、前記ラベルが貼り付けられる前記物品の形状に対応する形状を有するフレームに装着された可撓性加熱膜を含む移動ビームによって印加されることを特徴とする請求項１又は請求項２に記載の方法。
【請求項７】
前記熱及び圧力が、少なくとも２つのフレーム部材の間に懸架された可撓性多孔メッシュを含む移動ビームによって印加されることを特徴とする請求項１又は請求項２に記載の方法。
【請求項８】
前記熱及び圧力が、可撓性膨張性加熱膜によって印加されることを特徴とする請求項１に記載の方法。
【請求項９】
前記ラベルには、前記接着層に接着された剥離ライナが設けられ、
前記方法は、更に、前記ラベルを前記物品と接触させる前に前記剥離ライナを前記ラベルから分離する段階を含む、
ことを特徴とする請求項１から請求項８のいずれか１項に記載の方法。
【請求項１０】
前記ラベルは、少なくとも４０°Ｃの温度まで加熱されることを特徴とする請求項１から請求項９のいずれか１項に記載の方法。
【請求項１１】
前記熱収縮性フィルムは、ポリエステル、ポリオレフィン、塩化ポリビニル、ポリスチレン、ポリ乳酸、これらのコポリマー、及びこれらの配合物から選択されたフィルムを含むことを特徴とする請求項１から請求項１０のいずれか１項に記載の方法。
【請求項１２】
前記熱収縮性フィルムは、ポリオレフィンを含むことを特徴とする請求項１から請求項１１のいずれか１項に記載の方法。
【請求項１３】
前記熱収縮性フィルムは、コア層と少なくとも１つのスキン層とを有する多層フィルムを含むことを特徴とする請求項１から請求項１２のいずれか１項に記載の方法。
【請求項１４】
前記フィルムの剛性が、機械方向に少なくとも５ｍＮであることを特徴とする請求項１から請求項１３のいずれか１項に記載の方法。
【請求項１５】
前記ラベルは、前記熱収縮性フィルムと前記接着層の間の印刷層を更に含み、
前記熱収縮性フィルムは、透明である、
ことを特徴とする請求項１から請求項１４のいずれか１項に記載の方法。
【請求項１６】
前記ラベルは、前記熱収縮性フィルムの前記外面上の印刷層を更に含むことを特徴とする請求項１から請求項１５のいずれか１項に記載の方法。
【請求項１７】
前記ラベルは、前記印刷層の上に重なる保護層を更に含むことを特徴とする請求項１６に記載の方法。
【請求項１８】
前記接着層は、乳剤接着剤を含むことを特徴とする請求項１から請求項１７のいずれか１項に記載の方法。
【請求項１９】
前記接着層は、ホットメルト接着剤を含むことを特徴とする請求項１から請求項１８のいずれか１項に記載の方法。
【請求項２０】
前記接着層は、溶剤ベース接着剤を含むことを特徴とする請求項１から請求項１９のいずれか１項に記載の方法。
【請求項２１】
前記感圧接着層は、連続的であることを特徴とする請求項１から請求項２０のいずれか１項に記載の方法。
【請求項２２】
前記感圧接着層は、パターン形成され、前記パターンは、前記フィルムの前記内面を実質的に覆うことを特徴とする請求項１から請求項２０のいずれか１項に記載の方法。
【請求項２３】
前記熱収縮性フィルムは、機械方向と横方向を有し、前記フィルムは、９０°Ｃで少なくとも一方の方向に少なくとも１０％の最終収縮率Ｓを有し、他方の方向の前記収縮率は、Ｓ±２０％であることを特徴とする請求項１から請求項２２のいずれか１項に記載の方法。
【請求項２４】
前記ラベルは、中心と前記第１の縁部の反対側の第２の縁部とを含み、前記接触領域は、前記ラベルの前記中心に近いか、又は、前記中心にあることを特徴とする請求項１に記載の方法。
【請求項２５】
前記ラベルは、前記第１の縁部の反対側の第２の縁部を含み、前記接触領域は、前記ラベルの前記第２の縁部に近いことを特徴とする請求項１に記載の方法。
【請求項２６】
ラベル付き物品を製造する方法であって、
少なくとも１つの複合曲面を含む面を有する物品を準備する段階と、
（ｉ）内面と外面とを有するフィルム、および、（ｉｉ）前記フィルムの内面上の接着層を含み、かつ、第１の縁部と接触領域とを有するラベルを準備する段階と、
前記ラベルの前記接触領域内の前記接着層を前記物品と接触させる段階と、
前記ラベルの前記第１の縁部が前記物品に接着し、かつ、前記ラベルが収縮して、前記物品を完全に包装することなしに前記物品の前記複合曲面に適合するように、前記接触領域から前記第１の縁部への方向に前記ラベルに圧力を印加し、前記圧力が適合性膜によって印加される段階とを含む、
ことを特徴とする方法。
【請求項２７】
前記ラベルには、前記接着層に接着された剥離ライナが設けられ、
前記方法は、更に、前記ラベルを前記物品と接触させる前に前記剥離ライナを前記ラベルから分離する段階を含む、
ことを特徴とする請求項２６に記載の方法。
【請求項２８】
前記ラベルは、前記フィルムと前記接着層の間の印刷層を更に含み、
前記フィルムは、透明である、
ことを特徴とする請求項２６又は２７に記載の方法。
【請求項２９】
前記ラベルは、前記熱収縮性フィルムの前記外面上の印刷層を更に含むことを特徴とする請求項２６から請求項２８のいずれか１項に記載の方法。
【請求項３０】
前記ラベルは、前記印刷層の上に重なる保護層を更に含むことを特徴とする請求項２９に記載の方法。
【請求項３１】
前記ラベルは、中心と前記第１の縁部の反対側の第２の縁部とを含み、前記接触領域は、前記ラベルの前記中心に近いところにあるか、又は、前記中心にあることを特徴とする請求項２６に記載の方法。
【請求項３２】
前記ラベルは、前記第１の縁部の反対側の第２の縁部を含み、前記接触領域は、前記ラベルの前記第２の縁部に近いことを特徴とする請求項２６に記載の方法。
【請求項３３】
ラベル付き容器を製造するための装置であって、
（あ）少なくとも１つの複合曲面を含む面を有する容器を搬送するためのコンベヤと、
（い）前記コンベヤのフレームの間に懸架されている、少なくとも１つの可撓性のパッドと、
（う）内面と外面とを有するフィルムを含むラベル、及び、前記フィルムの内面上の接着層を含むラベルと、前記フィルムの内面上の接着の層とからなり、かつ、第１の縁部と接触領域とを有するラベルと、
（え）前記ラベルの前記接触領域内の前記接着層を前記物品に接触させて、前記ラベルの前記第１の縁部が前記物品に接着し、かつ、前記ラベルが収縮して、前記物品を完全に包装することなしに前記物品の複合曲面に適合するように、前記接触領域から前記第１の縁部への方向に前記ラベルに圧力を印加することができるように構成された加圧機構とを備え、
前記圧力は、適合性膜によって印加される、
ことを特徴とする装置。
【請求項３４】
ラベル付き容器を製造するための装置であって、
（あ）少なくとも１つの複合曲面を含む面を有する容器を搬送するための移動ビームコンベヤと、
（い）前記移動ビームコンベヤの２つのフレーム部材の間に懸架され、軟質で可撓性の内部加熱パッドと、
（う）剥離ライナ付きラベルとを備え、前記剥離ライナ付きラベルは、
（う１）内面と外面とを有する熱収縮性フィルム、及び、前記熱収縮性フィルムの内面上の感圧接着の層からなり、かつ、第１の縁部と接触領域とを有するラベルと、
（う２）前記ラベルの接着層に接着された剥離ライナとからなり、
前記装置は、さらに、
（え）前記剥離ライナ付きラベルの剥離ライナから前記ラベルを分離するための分配機器と、
（お）前記分離されたラベルの前記接触領域内の前記接着層を前記物品に接触させて、前記ラベルの前記第１の縁部が前記物品に接着し、かつ、前記ラベルが収縮して、前記物品を完全に包装することなしに前記物品の複合曲面に適合するように、前記接触領域から前記第１の縁部への方向に、前記ラベルに熱及び圧力を同時に印加することができるように構成された加熱加圧機構とを備え、
前記熱及び圧力は、加熱適合性膜によって印加される、
ことを特徴とする装置。
【請求項３５】
ラベル付き容器を製造する方法であって、
（あ）少なくとも１つの複合曲面を含む面を有する容器を準備する段階と、
（い）内面と外面とを有する熱収縮性フィルムを含むラベル、及び、前記熱収縮性フィルムの内面上の感圧接着の層からなり、かつ、第１の縁部と接触領域とを有するラベルを準備する段階と、
（う）前記ラベルの前記接触領域内の前記接着層を前記容器と接触させる段階と、
（え）前記ラベルの前記第１の縁部が前記容器に接着し、かつ、前記ラベルが収縮して、前記物品を完全に包装することなしに前記容器の前記複合曲面に適合するように、前記接触領域から前記第１の縁部への方向に前記ラベルに圧力を印加する段階とを含み、
前記圧力は、適合性膜によって印加される、
ことを特徴とする方法。
【請求項３６】
ラベル付き容器を製造する方法であって、
前記方法は、
（あ）少なくとも１つの複合曲面を含む面を有する容器を準備する段階と、
（い）剥離ライナ付きラベルを準備する段階とを含み、前記剥離ライナ付きラベルは、
（い１）内面と外面とを有する熱収縮性フィルム、及び、前記熱収縮性フィルムの内面上の感圧接着の層を含み、かつ、第１の縁部と接触領域とを有するラベルと、
（い２）前記ラベルの接着層に接着された剥離ライナとからなり、
前記方法は、さらに、
（う）分配機器によって、前記剥離ライナ付きラベルから前記ラベルを分離する段階と、
（え）前記ラベルの前記接触領域内の前記接着層を前記容器と接触させる段階と、
（お）前記ラベルの前記第１の縁部が前記容器に接着し、かつ、前記ラベルが収縮して、前記物品を完全に包装することなしに前記容器の前記複合曲面に適合するように、前記接触領域から前記第１の縁部への方向に、前記ラベルに熱及び圧力を同時に印加する段階とを含み、
前記熱及び圧力は、加熱適合性膜によって印加される、
ことを特徴とする方法。
【請求項３７】
物品にカバーを提供する方法であって、
少なくとも１つの複合曲面を含む面を有する物品を準備する段階と、
（ｉ）内面と外面とを有する熱収縮性フィルム、及び、（ｉｉ）前記熱収縮性フィルムの前記内面上の感圧接着の層を含み、かつ、第１の縁部と接触領域とを有するラベルを準備する段階と、
前記ラベルの前記接触領域内の前記接着層を前記物品と接触させる段階と、
前記ラベルの前記第１の縁部が前記物品に接着し、かつ前記ラベルが収縮して、前記物品を完全に包装することなしに前記物品の前記複合曲面に適合するように、前記接触領域から前記第１の縁部への方向に、前記ラベルに熱及び圧力を同時に印加して、前記ラベルは、前記物品を完全に包むことなしに前記容器の前記複合曲面に適合するように、前記接触領域から前記第１の縁部への方向に、前記ラベルに熱及び圧力を同時に印加する段階とを含み、
前記物品を完全に包むことなしに、前記ラベルは、前記少なくとも１つの複合曲面の上に拡がることができるようになっていて、
前記熱及び圧力は、加熱適合性膜によって印加される、
ことを特徴とする方法。
【手続補正２】
【補正対象書類名】明細書
【補正対象項目名】発明の名称
【補正方法】変更
【補正の内容】
【発明の名称】ラベル貼り付け方法及びラベル付き容器製造装置